(57)【要約】【課題】  、衣服等の重みで収納物吊下用横桟部材が変形するのを防止して耐久性にすぐれたクローゼットを提供できるようにする。【解決手段】  上記目的を達成するために本考案にかかるクローゼットは左右に対峙して配設された側方ボードと、両側方ボードにわたって架着された横桟部材並びに収納物吊下用横桟部材とを備えてなるクローゼットであって、横桟部材並びに収納物吊下用横桟部材を内外二重筒にして伸縮可能に構成するとともに、収納物吊下用横桟部材の中寄り部を支持脚で支持させた。【選択図】図１
0003112384.tif 000002
【実用新案登録請求の範囲】
【請求項１】
左右に対峙して配設された側方ボードと、両側方ボードにわたって架着された横桟部材並びに収納物吊下用横桟部材とを備えてなるクローゼットであって、横桟部材並びに収納物吊下用横桟部材を内外二重筒にして伸縮可能に構成するとともに、収納物吊下用横桟部材の中寄り部を支持脚で支持したことを特徴とするクローゼット。
【請求項２】
支持脚の中間高さ位置に、他端が一方の側方ボードに連結され、収納物吊下用横桟部材と平行に設けた伸縮可能な補助横桟部材を設けたことを特徴とする請求項１又は請求項２に記載のクローゼット。
【請求項３】
支持脚の下端に転動輪を設け、支持脚の支持位置を変更可能に構成したことを特徴とする請求項１又は請求項２に記載のクローゼット。
【請求項４】
両側方ボードの表面及び引出の表面部分に化粧用シートを貼着したことを特徴とする請求項１または請求項２に記載のクローゼット。
【請求項５】
両側方ボードの表面及び引出の表面部分に貼着された化粧用シートの周縁部分にステッチ模様を設けたことを特徴とする請求項４に記載のクローゼット。
【請求項６】
物品収納用空間の前面にカーテンを設けたことを特徴とする請求項１に記載のクローゼット。
【考案の詳細な説明】
【技術分野】
【０００１】
本考案は服やズボン・スカート等の衣類を整理するために室内に設置されて使用されるクローゼットに関するものである。
【背景技術】
【０００２】
この種のクローゼットとしては、本考案の出願人が先に提案したものがある。
これはベニヤ板や圧縮ボードを心材とした板状の側方ボードを左右に配置し、この両ボードにわたって横桟部材並びに収納物吊下用横桟部材を架着して両側方ボードを固定するとともに、横桟部材並びに収納物吊下用横桟部材を内外2重筒にして、両ボード間の距離を変更可能に構成してある。（特許文献１）
【０００３】
上記先の提案にかかるものでは、収納物吊下用横桟部材がこれに吊持した衣服等の重みでその中央部分が垂れ下がりやすく、変形してしまうという問題があった。
こうして収納物吊下用横桟部材の中央部分が下方に曲がって変形すると、側方ボード間の調節ができ難くなるだけでなく、収納物吊下用横桟部材の中央部分に衣服等が集中しやすくなり、変形がさらに増速され、耐久性が低下するという問題がある。
特にこうした問題は両ボード間が長くなったり、先の提案のように収納物吊下用横桟部材が内外２重筒で形成され、筒部分が薄肉に形成された場合に顕著に現れる。
また、側方ボードが、ベニヤ板や圧縮ボードを心材とした板状の部材で形成されたものでは、美観の点で室内の雰囲気と調和し難いという問題があった。
【特許文献１】特開平２００３−７９４４５号公報
【考案の開示】
【考案が解決しようとする課題】
【０００４】
本考案にかかるクローゼットは、衣服等の重みで収納物吊下用横桟部材が変形するのを防止して耐久性にすぐれ、室内の雰囲気にも調和する美観に優れたクローゼットを提供することができるようにするものである。
【課題を解決するための手段】
【０００５】
上記目的を達成するために本考案にかかるクローゼットは左右に対峙して配設された側方ボードと、両側方ボードにわたって架着された横桟部材並びに収納物吊下用横桟部材とを備えてなるクローゼットであって、横桟部材並びに収納物吊下用横桟部材を内外二重筒にして伸縮可能に構成するとともに、収納物吊下用横桟部材の中寄り部を支持脚で支持したことを最も主要な特徴とするものである。
【０００６】
また、本考案にかかるクローゼットでは、  支持脚の中間高さ位置に、他端が一方の側方ボードに連結され、収納物吊下用横桟部材と平行に設けた伸縮可能な補助横桟部材を設けたことや、支持脚の下端に転動輪を設け、支持脚の支持位置を変更可能に構成したこと、  両側方ボードの表面及び引出の表面部分に化粧用シートを貼着したことや、両側方ボードの表面及び引出の表面部分に貼着された化粧用シートの周縁部分にステッチ模様を設けたこと、更には、物品収納用空間の前面にカーテンを設けるようにしたことも特徴とするものである。
【考案の効果】
【０００７】
本考案にかかるクローゼットは、収納物吊下用横桟部材に吊持した衣服等の重みで収納物吊下用横桟部材の中央部分が垂れ下がろうとするのを、この支持脚がその荷重を確りと受け止める。
これにより、収納物吊下用横桟部材の変形を防止して側方ボード間の調節ができ難くなることが無く、何時までも、簡単に側方ボード間の調節をすることができ、クローゼットの耐久性を大幅に向上させることができる利点がある。
また、両側方ボードの表面及び引出の表面部分に化粧用シートを貼着してあるので、ベニヤ板や圧縮ボードを心材とした板状の部材で形成とは異なり、美観に優れ、室内の雰囲気にも馴染み易いものにすることができ、両側方ボードの表面及び引出の表面部分に貼着された化粧用シートの周縁部分にステッチ模様を設けたものではその効果を更に向上させることができる利点もある。
更に、物品収納用空間の前面にカーテンを設けたものでは、室内の雰囲気にも馴染み易くできるとともに、美観を尚一層向上させることができる利点もある。
【考案を実施するための最良の形態】
【０００８】
以下本考案にかかるクローゼットの好ましい実施の形態を図面に基づいて説明する。
【実施例１】
【０００９】
図１はクローゼットの全体斜視図であって、図中符号１はクローゼットを全体的に示す。
このクローゼット１は、左右に対峙して配設された側方ボード２・３と、両側方ボード２・３にわたって架着された横桟部材４・５並びに収納物吊下用横桟部材６と、収納物吊下用横桟部材６の中間部を支持する支持脚７とを備えてなる。
横桟部材４・５は、対峙する側方ボード２・３の上部同士を連結する前後１対に設けた上部横桟部材４と、側方ボード２・３の後面寄り部分で中間高さ位置同士を連結する上下一対の下方横桟部材５とからなる。
【００１０】
側方ボード２・３は、１枚の圧縮ボード又はベニヤ板の四囲に縁板を設け、その表面部分にはレザー風の化粧用シート８が貼着され、各化粧用シート８の周縁部分にはステッチ模様８１が設けられるとともに、四囲の角部には補強用金具９が取り付けてある。
上記上部横桟部材４と下方横桟部材５及び収納物吊下用横桟部材６の夫々は、内外２重のパイプ１０・１１で形成され、外側パイプ１０の端部が一方（図上左方）の側方ボード２に内方のパイプ１１の端部が他方（図上右方）の側用ボード３にそれぞれ固定されており、この内外２重のパイプ１０・１１を相対的に摺動させることにより、側方ボード２・３間の長さ、つまり物品（衣服等）収納用空間１２の大きさを変更できるようになっている。
【００１１】
クローゼット１の組み立て時及び側方ボード２・３間の長さを変えて収納用空間１２の大きさを変更する場合は、上部横桟部材４と下方横桟部材５及び収納物吊下用横桟部材６の内外に重なり合う部分の外側パイプ１０の端部に取り付けられたストッパ１３を緩めて側方ボード間２・３の長さを調節した後、ストッパ１３で固定する。
下方横桟部材５はストッパ１３寄り部分が矩形の補強板１４が取り付けられてその強度を充分なものにしてある。
収納物吊下用横桟部材６の中間部分を支持する支持脚７は図１及び図２に示すように、収納物吊下用横桟部材６の外側パイプ１０のストッパ１３寄り部分にスリーブ１５を摺動可能に外嵌させ、このスリーブ１５から脚部１６を垂下し、当該脚部１６の下端に転動輪１７を設けた設置部１８を形成したもので、脚部１６の中間高さ位置には収納物吊下用横
桟部材６と平行に設けた伸縮可能な補助横桟部材１９が設けられている。
【００１２】
この補助横桟部材１９の支持脚７部分への取り付け構造は、図３に示すように一端が一方の側方ボード２に連結された外側のパイプ１０の他端に上記上部横桟部材４と下方横桟部材５及び収納物吊下用横桟部材６に設けられたストッパ１３と同様に形成された止め具２０を設け、この外側パイプ１０に一端が脚部１６に取り付けられた内側パイプ１１を内嵌させて構成したものである。
即ち、上記ストッパ１３及び止め具２０は図２に示すように、外側パイプ１０の遊端部にカラー２４を固定し、このカラー２４から外側パイプ１０を貫通させたねじ孔２１を形成し、このねじ孔２１に操作用つまみ２２を設けた止め螺子２３を嵌合させるようにしてある。
また、図中符号２５は、前後に設けられた上方横桟部材４からV形の保持具１４であって、この保持具２５で収納物吊下用横桟部材６の中央部分を吊持するものである。
【００１３】
上記のクローゼット１を使用する場合を次に説明する。
先ず、上記のクローゼット１を使用する場合を次に説明する。先ず、本考案にかかるクローゼット１は、各部材が分解された状態のキットになっており、このキットをクローゼット１を設置する場所、例えば室内の角隅部に運び込む。
次に、一対の側方ボード２・３を、物品収納用空間１２を開けた状態で左右に対峙させ、横桟部材４・５及び収納物吊下用横桟部材６の両端部を両側方ボード２・３が対面する面に固定する。
【００１４】
然る後、上方横桟部材４と下方横桟部材５及び収納物吊下用横桟部材６をストッパ１３で固定すると、所望する場所にクローゼット１が設置される。
このとき収納物吊下用横桟部材６の中間部分を支持する支持脚７の脚部１６の長さは収納物吊下用横桟部材６の高さに合わせてあることから、収納物吊下用横桟部材６の一端を側方ボード２の所定位置に固定すると他端は自動的に他方の側方ボード３の所定に位置に合致する。
上述のように物品収納用空間１２を開けた状態で左右に対峙させた両側方ボード２．３は、その上端寄り部分の前後が上方横桟部材４で、後ろ側中間高さ位置部分を矩形の補強板１４が取り付けられた下方横桟部材５で連結されるので、強度的にも優れたものとなる。
尚、図示は省略したが、クローゼット１の上面から前面部分にかけてカーテン状の覆いを設けることもある。
【００１５】
斯くして設置されたクローゼット１は、物品収納用空間１２の収納物吊下用横桟部材６にハンガーに吊るした衣服をかけて収納する。
このとき、コート等の重量の重い衣服を収納物吊下用横桟部材６掛けたときでも、その重量は支持脚７に確りと受け止められて、収納物吊下用横桟部材６が撓んだり変形するのが防止される。
また、支持脚７の脚部１６の中間高さ位置に収納物吊下用横桟部材６と平行に設けられ
た伸縮可能な補助横桟部材１９は、当該部分に子供服等の丈の短いものを掛止し上方の収納物吊下用横桟部材６とともに上下二段の収納物吊下用横桟として使用することができる。
尚、図示は省略したが、クローゼット１の物品収納用空間１２の前面部分を覆うカーテンを設けることも可能である。
【図面の簡単な説明】
【００１６】
【図１】は本考案にかかるクローゼットの斜視図である。
【図２】は本考案にかかるクローゼットの支持脚の上端部分の縦断面図である。
【図３】は本考案にかかるクローゼットの止め具部分の断面図である。
【符号の説明】
【００１７】
１・・・クローゼット
２・３・・・側方ボード
７・・・支持脚
８・・・化粧用シート
１７・・・転動輪
１９・・・補助横桟部材
８１・・・ステッチ模様
【図１】
0003112384.tif 000003
【図２】
0003112384.tif 000004
【図３】
0003112384.tif 000005